(57)【要約】【課題】作業効率良くより少ないプリプレグ巻回数で、シャフト長手方向の剛性を局所的に高くすることなく、シャフト長手方向の重量バランス（重心位置）を再現性良く容易に設定することができる、外観が優れたゴルフクラブシャフト及びその製造方法を得る。【解決手段】未硬化熱硬化性樹脂プリプレグを複数層巻回し熱硬化させてなるゴルフクラブシャフトにおいて、シャフト長手方向の一部に位置させて、該シャフト長手方向の一部に重量を付加する重量付加用積層フィルムを設けたこと、前記重量付加用積層フィルムは、金属薄膜層と、この金属薄膜層の両面に積層した未硬化熱硬化性樹脂層とからなること、及び前記重量付加用積層フィルム両面の未硬化熱硬化性樹脂層は、少なくとも一方が前記未硬化熱硬化性樹脂プリプレグと接していること、を特徴とするゴルフクラブシャフト。【選択図】図２
2013220285.tif 000002
【特許請求の範囲】
【請求項１】
未硬化熱硬化性樹脂プリプレグを複数層巻回し熱硬化させてなるゴルフクラブシャフトにおいて、
シャフト長手方向の一部に位置させて、該シャフト長手方向の一部に重量を付加する重量付加用積層フィルムを設けたこと、
前記重量付加用積層フィルムは、金属薄膜層と、この金属薄膜層の両面に積層した未硬化熱硬化性樹脂層とからなること、及び
前記重量付加用積層フィルム両面の未硬化熱硬化性樹脂層は、少なくとも一方が前記未硬化熱硬化性樹脂プリプレグと接していること、
を特徴とするゴルフクラブシャフト。
【請求項２】
請求項１記載のゴルフクラブシャフトにおいて、前記金属薄膜層の厚さは１０μｍ〜４０μｍの範囲内であるゴルフクラブシャフト。
【請求項３】
請求項１または２記載のゴルフクラブシャフトにおいて、前記金属薄膜層は、銅、ステンレス、アルミニウムのいずれかの材料からなるゴルフクラブシャフト。
【請求項４】
請求項１ないし３のいずれか１項記載のゴルフクラブシャフトにおいて、前記未硬化熱硬化性樹脂層はエポキシ樹脂からなるゴルフクラブシャフト。
【請求項５】
請求項１ないし４のいずれか１項記載のゴルフクラブシャフトにおいて、前記重量付加用積層フィルムは、シャフト長手方向の先端側、手元側または中間部分に設けられているゴルフクラブシャフト。
【請求項６】
未硬化熱硬化性樹脂プリプレグを複数層巻回し熱硬化させてなるゴルフクラブシャフトの製造方法において、
金属薄膜層と、この金属薄膜層の両面に積層した未硬化熱硬化性樹脂層とからなる重量付加用積層フィルムを準備するステップ；
マンドレルに、前記複数の未硬化熱硬化性樹脂プリプレグと前記重量付加用積層フィルムとを、該重量付加用積層フィルムの内外層の少なくとも一方に未硬化熱硬化性樹脂プリプレグが位置するように巻回するステップ；
巻回した前記複数の未硬化熱硬化性樹脂プリプレグと前記重量付加用積層フィルムとを熱硬化させるステップ；及び
前記マンドレルを引き抜いて、前記複数の未硬化熱硬化性樹脂プリプレグどうしが一体化し、かつ前記重量付加用積層フィルムの前記未硬化熱硬化性樹脂層が隣接する未硬化熱硬化性樹脂プリプレグと一体化したゴルフクラブシャフトを取り出すステップ；
を有することを特徴とするゴルフクラブシャフトの製造方法。
【請求項７】
請求項６記載のゴルフクラブシャフトの製造方法において、
前記巻回するステップでは、前記重量付加用積層フィルムの内外層に前記未硬化熱硬化性樹脂プリプレグを位置させて該重量付加用積層フィルムを挟み込むように巻回するゴルフクラブシャフトの製造方法。
【発明の詳細な説明】
【技術分野】
【０００１】
本発明は、ゴルフクラブシャフト及びその製造方法に関する。
【背景技術】
【０００２】
プリプレグは未硬化熱硬化性樹脂を強化繊維（例えば炭素繊維やガラス繊維）に含浸させたシート状のものであり、ゴルフクラブシャフトでは、テーパ軸からなるマンドレルに複数枚のプリプレグを巻回し加熱硬化させてテーパ状シャフトとしている。
【０００３】
一般的に、カーボンシャフトの重心位置は、スチールシャフトの重心位置よりも手元側（バット側）にあることが知られている。近年、アイアン用カーボンシャフトの開発において、スチールシャフトのフィーリングをカーボンシャフトに求めて、カーボンシャフトの重心位置（バランスポイント）を先端側（チップ側）に移動させる試みがなされている。一方、ドライバー用カーボンシャフトにおいては、シャフト重量を軽くしながら手元側にシャフトの重心位置を移動し、その分ヘッドに重量をプラスしたものが流行している。
【０００４】
カーボンシャフトの重心位置を先端側または手元側に移動させるためには、先端側または手元側に巻き付けるプリプレグの数を増やして部分的に重量を増大させることが考えられる。ところがこの構成では、シャフト先端側または手元側の剛性が局所的に高くなり、キックポイントの位置が従来のカーボンシャフトのそれと大きく異なって、ボールの打ち出し条件に影響を及ぼすという問題が発生する。
【０００５】
このような問題を解決するために、ゴルフクラブシャフトの重量バランスの調整を図るための様々な工夫が提案されている。例えば特許文献１には、金属粉末を含有させた金属含有プリプレグをシャフト先端部の内層に巻回して加熱硬化したゴルフクラブシャフトが開示されている。また特許文献２には、合成樹脂を含浸した高強度繊維からなるシートを巻回して筒状のシャフト本体を成形するゴルフクラブシャフトの製造方法において、高強度繊維に金属粉末を混入した合成樹脂を含浸してなるシートを上記シートと共に巻回することで、シャフト本体内に金属粉末を混入させることが開示されている。
【０００６】
しかし特許文献１、２にあっては、プリプレグまたはシートに含有させることができる金属粉末の量には限界があるため、ゴルフクラブシャフトの重心位置を大幅にシフトさせようとしたときには、シャフト長手方向の特定部位において、金属粉末を含有したプリプレグまたはシートの巻回数がことのほか多くなってしまう。このため、シャフト長手方向の特定部位の剛性が局所的に高くなる、ゴルフクラブシャフトの外観が悪くなるといった不具合が生じてしまう。
【先行技術文献】
【特許文献】
【０００７】
【特許文献１】特開２００１−１２０６９６号公報
【特許文献２】特開平６−２３４号公報
【発明の概要】
【発明が解決しようとする課題】
【０００８】
本発明は、以上の問題意識に基づいて完成されたものであり、作業効率良くより少ないプリプレグ巻回数で、シャフト長手方向の剛性を局所的に高くすることなく、シャフト長手方向の重量バランス（重心位置）を再現性良く容易に設定することができる、外観が優れたゴルフクラブシャフト及びその製造方法を得ることを目的とする。
【課題を解決するための手段】
【０００９】
本発明のゴルフクラブシャフトは、未硬化熱硬化性樹脂プリプレグを複数層巻回し熱硬化させてなるゴルフクラブシャフトにおいて、シャフト長手方向の一部に位置させて、該シャフト長手方向の一部に重量を付加する重量付加用積層フィルムを設けたこと、前記重量付加用積層フィルムは、金属薄膜層と、この金属薄膜層の両面に積層した未硬化熱硬化性樹脂層とからなること、及び前記重量付加用積層フィルム両面の未硬化熱硬化性樹脂層は、少なくとも一方が前記未硬化熱硬化性樹脂プリプレグと接していること、を特徴としている。
【００１０】
前記金属薄膜層の厚さは１０μｍ〜４０μｍの範囲内に設定することが好ましい。
【００１１】
前記金属薄膜層は、例えば、銅、ステンレス、アルミニウムのいずれかの材料から構成することができる。
【００１２】
前記未硬化熱硬化性樹脂層は、例えば、エポキシ樹脂から構成することができる。
【００１３】
前記重量付加用積層フィルムは、シャフト長手方向の先端側、手元側または中間部分に設けることができる。
【００１４】
本発明のゴルフクラブシャフトの製造方法は、未硬化熱硬化性樹脂プリプレグを複数層巻回し熱硬化させてなるゴルフクラブシャフトの製造方法において、金属薄膜層と、この金属薄膜層の両面に積層した未硬化熱硬化性樹脂層とからなる重量付加用積層フィルムを準備するステップ；マンドレルに、前記複数の未硬化熱硬化性樹脂プリプレグと前記重量付加用積層フィルムとを、該重量付加用積層フィルムの内外層の少なくとも一方に未硬化熱硬化性樹脂プリプレグが位置するように巻回するステップ；巻回した前記複数の未硬化熱硬化性樹脂プリプレグと前記重量付加用積層フィルムとを熱硬化させるステップ；及び前記マンドレルを引き抜いて、前記複数の未硬化熱硬化性樹脂プリプレグどうしが一体化し、かつ前記重量付加用積層フィルムの前記未硬化熱硬化性樹脂層が隣接する未硬化熱硬化性樹脂プリプレグと一体化したゴルフクラブシャフトを取り出すステップ；を有することを特徴としている。
【００１５】
前記巻回するステップでは、前記重量付加用積層フィルムの内外層に前記未硬化熱硬化性樹脂プリプレグを位置させて該重量付加用積層フィルムを挟み込むように巻回することが好ましい。
【発明の効果】
【００１６】
本発明によれば、作業効率良くより少ないプリプレグ巻回数で、シャフト長手方向の剛性を局所的に高くすることなく、シャフト長手方向の重量バランス（重心位置）を再現性良く容易に設定することができる、外観が優れたゴルフクラブシャフト及びその製造方法が得られる。
【図面の簡単な説明】
【００１７】
【図１】本発明によるゴルフクラブシャフトの全体構成を示す図である。
【図２】重量付加用積層フィルムを設けた部分のシャフト積層断面を示す図１のII部分を拡大した図である。
【図３】未硬化熱硬化性樹脂プリプレグと重量付加用積層フィルムの巻回構造を示す図である。
【図４】未硬化熱硬化性樹脂プリプレグと重量付加用積層フィルムの巻回構造の変形例を示す図である。
【図５】重量付加用積層フィルムをシャフト長手方向の中間部分に設けた変形例を示す図である。
【図６】重量付加用積層フィルムをシャフト後端側（手元側）に設けた変形例を示す図である。
【発明を実施するための形態】
【００１８】
図１ないし図３は、本発明によるゴルフクラブシャフト１０を示している。ゴルフクラブシャフト１０は、その先端小径側（チップ側）から手元大径側（バット側）に向かって漸次外径を大きくしたテーパ筒状に形成されており、その小径側端部にはクラブヘッドが装着され、大径側端部にはグリップが装着されるが、その図示は省略している。
【００１９】
ゴルフクラブシャフト１０は、未硬化熱硬化性樹脂プリプレグを複数層巻回し熱硬化させてなるものであり、図３はその巻回構造を示している。同図に示すように、ゴルフクラブシャフト１０は、テーパ状のマンドレルＭに対して、内層（下層）から順に、０°プリプレグ１１と、重量付加用積層フィルム２０と、２枚のバイアスプリプレグ１２、１３と、２枚の０°プリプレグ１４、１５と、部分プリプレグ１６と、三角プリプレグ１７とを巻回してなる。
【００２０】
プリプレグ１１ないし１５は、全長層となり、マンドレルＭに巻回したときに同じ巻数になるように、大径側端部から小径側端部に向かって狭くなる台形状に形成されている。プリプレグ１６は、シャフト長手方向の略先端側半分をなす部分層となる。三角プリプレグ１７は、シャフト先端をクラブヘッドのホーゼル径に対応するストレート部とするためのものである。
【００２１】
０°プリプレグ１１は、例えば、未硬化熱硬化性樹脂をガラス繊維に含侵させたガラスプリプレグやカーボンプリプレグ等であり、その長繊維方向がシャフト長手方向と平行をなす０°層である。
バイアスプリプレグ１２、１３は、例えば、未硬化熱硬化性樹脂を炭素繊維に含侵させたＣＦＲＰ（Carbon Fiber Reinforced Plastics）製であり、その長繊維方向がシャフト長手方向に対して＋４５°と−４５°をなす層である。
０°プリプレグ１４、１５と、部分プリプレグ１６と、三角プリプレグ１７とは、例えば、未硬化熱硬化性樹脂を炭素繊維に含侵させたＣＦＲＰ製であり、その長繊維方向がシャフト長手方向と平行をなす０°層である。
【００２２】
重量付加用積層フィルム２０は、シャフト先端側に露出する先端側部分層となり、シャフト先端側に重量を付加する機能を持つ。図２に示すように、重量付加用積層フィルム２０は、金属薄膜層２１と、この金属薄膜層２１の両面に積層した未硬化熱硬化性樹脂層２２とからなる。重量付加用積層フィルム２０は、金属薄膜層２１の弾性力によって適度な柔らかさを持っており、各プリプレグ１１−１７と同様の取扱いによってマンドレルＭに作業性良く巻回することができる。
【００２３】
金属薄膜層２１は、例えば、銅、ステンレス、アルミニウムの材料から構成することができるが、低コスト化と高い重量付加機能とを両立するためには、密度が８．９３と比較的高い銅材料から構成することが好ましい。
【００２４】
金属薄膜層２１の厚さは１０μｍ〜４０μｍの範囲内に設定されている。これにより、重量付加用積層フィルム２０が持つ重量付加効果を担保しつつ、重量付加用積層フィルム２０の弾性力が適切となってマンドレルＭに巻き付ける際の作業性を良好にすることができる。
金属薄膜層２１の厚さが４０μｍを超えて大きくなると、重量付加用積層フィルム２０の弾性力が強くなりすぎて、重量付加用積層フィルム２０をマンドレルＭに巻き付ける際の作業性が悪くなってしまう。
金属薄膜層２１の厚さが１０μｍを超えて小さくなると、重量付加用積層フィルム２０が持つ重量付加効果が著しく低下するため、シャフト重心位置を大幅にシフトさせることができなくなる。無理にシャフト重心位置を大幅にシフトさせようとすると、重量付加用積層フィルム２０の巻回数を多くしなければならないため、シャフト先端部分の剛性が局所的に高くなる、シャフト外観が悪くなるという不具合が生じてしまう。
【００２５】
未硬化熱硬化性樹脂層２２は、例えば、エポキシ樹脂、ウレタン樹脂、アクリル樹脂から構成することができるが、加熱硬化したときの各プリプレグ１１−１７（特に内外層の０°プリプレグ１１とバイアスプリプレグ１２）との結合強度を高めるためには、エポキシ樹脂を用いることが好ましい。マンドレルＭに対して各プリプレグ１１−１７を巻回した状態では、内層（下層）側の未硬化熱硬化性樹脂層２２は０°プリプレグ１１に接しており、外層（上層）側の未硬化熱硬化性樹脂層２２はバイアスプリプレグ１２に接している。また各プリプレグ１１−１７を熱硬化させたときには、内層（下層）側の未硬化熱硬化性樹脂層２２は０°プリプレグ１１と一体化しており、外層（上層）側の未硬化熱硬化性樹脂層２２はバイアスプリプレグ１２と一体化している。
【００２６】
続いて、以上のように構成されたゴルフクラブシャフト１０の製造方法を説明する。
【００２７】
まず、金属薄膜層２１と、この金属薄膜層２１の両面に積層した未硬化熱硬化性樹脂層２２とからなる重量付加用積層フィルム２０を準備する。
【００２８】
次いで、マンドレルＭに対して、内層（下層）から順に、０°プリプレグ１１と、重量付加用積層フィルム２０と、２枚のバイアスプリプレグ１２、１３と、２枚の０°プリプレグ１４、１５と、部分プリプレグ１６と、三角プリプレグ１７とを巻回する。この巻回状態では、重量付加用積層フィルム２０の内層側の未硬化熱硬化性樹脂層２２は０°プリプレグ１１に接しており、重量付加用積層フィルム２０の外層側の未硬化熱硬化性樹脂層２２はバイアスプリプレグ１２に接している。尚、重量付加用積層フィルム２０と２枚のバイアスプリプレグ１２、１３とを予め重ねて貼り合せて、これらを一体に巻回することも可能である。
【００２９】
次いで、巻回した各プリプレグ１１−１７と重量付加用積層フィルム２０を熱硬化させる。この熱硬化状態では、隣接する各プリプレグどうしが一体化するとともに、内層側の未硬化熱硬化性樹脂層２２が０°プリプレグ１１と一体化しており、外層側の未硬化熱硬化性樹脂層２２がバイアスプリプレグ１２と一体化している。つまり図１に示すように、各プリプレグ１１−１７と重量付加用積層フィルム２０の未硬化熱硬化性樹脂層２２が一体化したシャフト本体が形成され、このシャフト本体の先端側内部に重量付加用積層フィルム２０の金属薄膜層２１が残存している。
【００３０】
最後に、ゴルフクラブシャフト１０をマンドレルＭから手元側に引き抜いてその両端部を切断する。ここで、重量付加用積層フィルム２０（金属薄膜層２１）の内層には加熱硬化した０°プリプレグ１１が位置しているので、切断作業を行いやすくなり、切断時に重量付加用積層フィルム２０がシャフト内径側に変形して非円筒形となって見栄えが悪くなることもない。
【００３１】
以上のように、本実施形態のゴルフクラブシャフトは、未硬化熱硬化性樹脂プリプレグ１１−１７を複数層巻回し熱硬化させてなり、シャフト長手方向の一部に位置させて、このシャフト長手方向の一部に重量を付加する重量付加用積層フィルム２０を設け、この重量付加用積層フィルム２０を、金属薄膜層２１と、この金属薄膜層の両面に積層した未硬化熱硬化性樹脂層２２とから構成し、重量付加用積層フィルム２０の両面の未硬化熱硬化性樹脂層２２の少なくとも一方が未硬化熱硬化性樹脂プリプレグ１１、１２と接しているようにしている。これにより、作業効率良くより少ないプリプレグ巻回数で、シャフト長手方向の剛性を局所的に高くすることなく、シャフト長手方向の重量バランス（重心位置）を再現性良く容易に設定することができる、外観が優れたゴルフクラブシャフトが得られる。
【００３２】
以上の実施形態では、図３に示すように、内層（下層）から順に、０°プリプレグ１１と、重量付加用積層フィルム２０と、２枚のバイアスプリプレグ１２、１３と、２枚の０°プリプレグ１４、１５と、部分プリプレグ１６と、三角プリプレグ１７とを巻回した場合を例示して説明した。しかし、例えば図４に示すように、内層（下層）から順に、２枚のバイアスプリプレグ３１、３２と、重量付加用積層フィルム２０と、３枚の０°プリプレグ３３、３４、３５と、部分プリプレグ３６と、三角プリプレグ３７とを巻回してもよく、その巻回構造は限定されない。
【００３３】
以上の実施形態では、重量付加用積層フィルム２０がシャフト先端側に露出する先端側部分層となりシャフト先端側に重量を付加する機能を持つ場合を例示して説明した。しかし、重量付加用積層フィルム２０を設ける位置はこれに限定されるものではない。例えば、図５に示すように、重量付加用積層フィルム２０をシャフト長手方向の中間部分に設けてもよいし、図６に示すように、重量付加用積層フィルム２０をシャフト後端側（手元側）に設けてもよい。
【００３４】
以上の実施形態では、重量付加用積層フィルム２０の内外層にプリプレグ１１、１２を位置させて重量付加用積層フィルム２０を挟み込むように巻回した場合を例示して説明した。しかし、重量付加用積層フィルム２０の積層位置はこれに限定されず、例えば、重量付加用積層フィルム２０を最内層または最外層に設けて、重量付加用積層フィルム２０の外層側または内層側だけにプリプレグを位置させて巻回する態様も可能である。この態様であっても、重量付加用積層フィルム２０の未硬化熱硬化性樹脂層２２を隣接するプリプレグと一体化させることができる。
【符号の説明】
【００３５】
１０  ゴルフクラブシャフト
１１  ０°プリプレグ
１２  バイアスプリプレグ
１３  バイアスプリプレグ
１４  ０°プリプレグ
１５  ０°プリプレグ
１６  部分プリプレグ
１７  三角プリプレグ
２０  重量付加用積層フィルム
２１  金属薄膜層
２２  未硬化熱硬化性樹脂層
３１  バイアスプリプレグ
３２  バイアスプリプレグ
３３  ０°プリプレグ
３４  ０°プリプレグ
３５  ０°プリプレグ
３６  部分プリプレグ
３７  三角プリプレグ
Ｍ  マンドレル
【図１】
2013220285.tif 000003
【図２】
2013220285.tif 000004
【図３】
2013220285.tif 000005
【図４】
2013220285.tif 000006
【図５】
2013220285.tif 000007
【図６】
2013220285.tif 000008